(57)【要約】【課題】  量産性やコスト性に優れた弾性部、これを用いたスライド装置並びにスライド装置を用いた電子機器を提供すること。【解決手段】  スライド装置に用いられる弾性部４は、複数のバネ線材４Ａと、バネ線材４Ａの一端部と他端部にそれぞれ係止される第一及び第二の連結部５，６と、を備え、各バネ線材４Ａは、その一端部と他端部に係止端部８を設け、バネ線材４Ａの両端部は左右対称な形状に形成し、連結部５，６は、複数のバネ線材４Ａを係合する抜け止め係合部７を有し、第一及び第二の連結部５，６は、共に同一の組み付け部材５Ａ，６Ａ及び共に同一の重合部材５Ｂ，６Ｂをそれぞれ別部品で形成し、抜け止め係合部７の各溝部７ａ内にバネ線材４Ａの端部を嵌め込んだ状態で前記組み付け部材及び重合部材を重合状態に組み付け固定することで、複数のバネ線材４Ａの各端部を所定の並設間隔を置いて抜け止め保持した。【選択図】  図１
2009133495.tif 000002
【特許請求の範囲】
【請求項１】
第一部材と第二部材とを重合面方向にスライド自在に重合連結したスライド装置の前記第一部材と第二部材との間に用いられる弾性部において、
屈曲弾性自在な複数のバネ線材と、
前記バネ線材の一端部と他端部にそれぞれ係止される第一の連結部及び第二の連結部と、を備え、
前記各バネ線材は、弓状に屈曲弾性自在な弓状屈曲部を有する所定の屈曲線形状を有し、且つ、前記一端部と他端部には屈曲若しくは湾曲した係止端部を設けるとともに、この係止端部を有するバネ線材の両端部は左右対称な形状に形成し、
前記連結部は、前記複数のバネ線材の各端部を所定の並設間隔をおいてこの連結部に抜け止め状態に係合する抜け止め係合部を有するものであって、前記第一及び第二の連結部は、共に同一の組み付け部材と共に同一の重合部材をそれぞれ別部品で形成するとともに、当該組み付け部材と重合部材とを重合状態に組み付け固定し、
前記組み付け部材と前記重合部材の一方の重合面には前記バネ線材の前記係止端部と略合致する溝形状を形成し且つ当該係止端部を嵌め込む溝部を複数形成してこの複数の溝部を前記抜け止め係合部として構成し、
前記抜け止め係合部の各溝部内に前記バネ線材の端部を嵌め込んだ状態で前記組み付け部材と重合部材とを重合状態に組み付け固定することで、複数のバネ線材の各端部を所定の並設間隔を置いて前記連結部に抜け止め保持したことを特徴とするスライド装置に用いられる弾性部。
【請求項２】
前記請求項１記載の弾性部において、前記重合状態に組み付け固定された前記第一及び第二の連結部は、それぞれ前記バネ線材とは反対側の箇所に、前記スライド装置の前記第一部材及び第二部材に連結するための枢着孔を備え、前記第一の連結部の前記枢着孔をスライド装置の前記第一部材に連結するとともに、前記第二の連結部の前記枢着孔を前記第二部材に連結して、これら第一部材と第二部材との間にスライド方向の弾性付勢が生ずるように構成したことを特徴とするスライド装置。
【請求項３】
電子機器の本体部と重合部とを重合配設し、この重合した状態から前記重合部を相対的に重合面方向にすれ違うようにスライド移動して重合面の一部を露出させることができるように、前記本体部と前記重合部とを前記請求項２記載のスライド装置により連結したこと特徴とする電子機器。
【発明の詳細な説明】
【技術分野】
【０００１】
本発明は、スライド装置に用いられる弾性部とそのスライド装置並びにスライド装置を用いた携帯電話、モバイル等の電子機器に関するものである。
【背景技術】
【０００２】
従来、例えば、数字キーやファンクションキーを配列した操作部を本体部の上側面に設け、所定の表示がなされる液晶パネル等のディスプレイ部を、前記本体部に重合する重合部の上側面に設け、この本体部と重合部とを前後方向に相対的に移動する構造のスライド式の携帯電話が知られている。
【０００３】
これは、重合部に左右に間隔を置いてスライドガイド部としてのガイドレール部を設け、この左右のガイドレール部にスライド係合するスライド部を本体部に設け、ガイドレール部に対してスライド部が相対的にスライド移動することで、重合部と本体部とをスライド移動自在に連結する構成としている。
【０００４】
このようなスライド式の携帯電話のスライド構造を実現するスライド装置は、前述のように左右に設けたスライドガイド部間にスライド部をその両端部をスライド自在に係合させて、スライドガイド部に対してスライド部をスライド自在に係合する構成である。
【０００５】
即ち、例えば、互いにスライド自在に係合させたい一方の第一部材と他方の第二部材のうち一方の第一部材には、二本のガイドレール部を対向状態に並設し、両端部にスライド係合部を設けたスライド部を他方の第二部材に設けたり、或いは両端部に各ガイドレール部にスライド自在に係合させるスライド係合部を設けて他方の第二部材自体をスライド部として構成し、このスライド部をその両端部のスライド係合部を前記第一部材のスライドガイド部にスライド係合させ、スライドガイド部間にスライド部をスライド係合して第一部材に対して第二部材をスライド移動自在にスライド係合する構成である。
【０００６】
ところで、このように本体部と重合部とをスライド移動自在に連結するスライド装置を用いたスライド式の携帯電話は、本体部の操作部を重合部で隠蔽した重合閉塞位置と、重合部を位置ズレするように前後方向へスライド移動させて操作部を露出させたスライド開放位置とで位置決め保持（閉じ付勢や開き付勢あるいはクリック係合）するように構成することが望ましい。
【０００７】
そこで、このような要望に応えるべく、弾性部の一端を第一部材に連結し他端を第二部材に連結し、この弾性部の弾圧付勢によって第一部材と第二部材との間にスライド方向の付勢を生ずるように構成したスライド装置が知られている。
【０００８】
即ち、例えば、線材の両端部間の途中部にてこの線材をコイル状に多重巻回しこのコイル状部を頂部にして全体視ヘ字状に形成したトーションバネを弾性部とし、このトーションバネの一端を第一部材に連結し、他端を第二部材に連結し、このトーションバネの両端の連結部が互いに離れようとする弾性付勢（拡角付勢）により第一部材と第二部材との間にスライド方向の付勢を生ずるように構成したもの（以下、「トーションバネ型」と呼ぶ）がある。
【０００９】
また、例えば、図１０に示すように、複数本のコイル状の抗縮バネ１４を枠状のユニット基体部１５に並列して成るスプリングユニットを弾性部４とし、このスプリングユニットの一端を第一部材に連結し、他端を第二部材に連結し、このスプリングユニットの両端の連結部が互いに離れようとする弾性付勢により第一部材と第二部材との間にスライド方向の付勢を生ずるように構成したもの（以下、「スプリングユニット型」と呼ぶ）がある。
【００１０】
このように弾性部の弾性付勢から生ずるスライド方向の付勢を利用することで、例えばスライド式の携帯電話の本体部に対して重合部を閉じ付勢してこの重合部を重合閉塞位置に位置決め保持する，或いは本体部に対して重合部を開き付勢してこの重合部をスライド開放位置に位置決め保持するといった位置決め保持機能を実現することができる。
【先行技術文献】
【特許文献】
【００１１】
【特許文献１】特開２００５−２９１３１５号公報
【特許文献２】特開２００６−２１７５９４号公報
【特許文献３】特開２００７−０２８４１７号公報
【発明の概要】
【発明が解決しようとする課題】
【００１２】
しかしながら、上述のような従来装置には夫々様々な問題点がある。
【００１３】
即ち、例えば図１０に図示したスプリングユニット型のスライド装置は、その構造上、スプリングユニットを構成する各抗縮バネ１４の自由長と密着長の長さに応じて第一部材と第二部材とのスライド量が制限され、スライド量の小さいスライド構造のものにしか採用できない。
【００１４】
また、弾性部、即ちスプリングユニットの製造には複数本のシャフト（図示省略）と抗縮バネ１４を使用し、抗縮バネ１４を撓ませながら枠状のユニット基体部１５にこの複数本の抗縮バネ１４とシャフトとを組み込むという非常に手間のかかる作業を要し、これが製造の困難性やコスト高の大きな要因となっている。
【００１５】
一方、トーションバネ型のスライド装置は、線材の撓みによってトーションバネの両端の連結部間の距離を大きく拡狭できる構成である為、前述のスプリングユニット型のスライド装置に比してスライド量を大きく設定するに適した構造と言える。しかし、トーションバネの応力及び荷重を考慮すると、やはりスライド量には制限がある。つまり、大きいスライド範囲で十分大きいスライド方向の付勢が生ずるように、強いトーションバネを採用した場合、それだけ応力が大きくなりこのトーションバネの弾性付勢に抗する方向へのスライド操作が重くなる等操作性が犠牲になる。
【００１６】
また、このトーションバネ型は、トーションバネの両端部間の途中部に形成されるコイル状部において、線材を３重から４重に多重巻回している為、どうしてもそれだけ厚みによってスペースが嵩張る。しかも、このようなスライド装置を携帯電話等の電子機器に組み込む場合、トーションバネのコイル状部が位置する近辺に、ちょうどＦＰＣ（フレキシブルプリント基板）が配される場合が多々ある。よって、このトーションバネのコイル状部の厚みが、ＦＰＣ等の電子部品の配設の邪魔となり、ひいてはこの種の電子機器の薄型化・コンパクト化の妨げとなっている。
【００１７】
本発明は、弾性部の弾性付勢によってスライド方向の付勢を生ずるこの種のスライド装置について更なる研究・開発を進め、大きなスライド量に設定でき、厚みによってスペースが嵩張る問題も回避でき、弾性部の弾性付勢の強度設定を容易に図り得て、尚且つ量産性やコスト性にも優れたスライド装置の弾性部及びそのスライド装置並びにスライド装置を用いた電子機器を提供することを課題とする。
【課題を解決するための手段】
【００１８】
添付図面を参照して本発明の要旨を説明する。
【００１９】
本願第１請求項に記載された発明は、第一部材１と第二部材２とを重合面方向にスライド自在に重合連結したスライド装置の前記第一部材１と第二部材２との間に用いられる弾性部４において、
屈曲弾性自在な複数のバネ線材４Ａと、
前記バネ線材４Ａの一端部と他端部にそれぞれ係止される第一の連結部５及び第二の連結部６と、を備え、
前記各バネ線材４Ａは、弓状に屈曲弾性自在な弓状屈曲部を有する所定の屈曲線形状を有し、且つ、前記一端部と他端部には屈曲若しくは湾曲した係止端部８を設けるとともに、この係止端部８を有するバネ線材４Ａの両端部は左右対称な形状に形成し、
前記連結部５，６は、前記複数のバネ線材４Ａの各端部を所定の並設間隔をおいてこの連結部５，６に抜け止め状態に係合する抜け止め係合部７を有するものであって、前記第一及び第二の連結部５，６は、共に同一の組み付け部材５Ａ，６Ａと共に同一の重合部材５Ｂ，６Ｂをそれぞれ別部品で形成するとともに、当該組み付け部材５Ａ，６Ａと重合部材５Ｂ，６Ｂとを重合状態に組み付け固定し、
前記組み付け部材５Ａ，６Ａと前記重合部材５Ｂ，６Ｂの一方の重合面には前記バネ線材４Ａの前記係止端部８と略合致する溝形状を形成し且つ当該係止端部８を嵌め込む溝部７ａを複数形成してこの複数の溝部７ａを前記抜け止め係合部７として構成し、
前記抜け止め係合部７の各溝部７ａ内に前記バネ線材４Ａの端部を嵌め込んだ状態で前記組み付け部材５Ａ，６Ａと重合部材５Ｂ，６Ｂとを重合状態に組み付け固定することで、複数のバネ線材４Ａの各端部を所定の並設間隔を置いて前記連結部５，６に抜け止め保持した構成のスライド装置に用いられる弾性部である。
【００２０】
本願第２請求項に記載された発明は、前記請求項１記載の弾性部４において、前記重合状態に組み付け固定された前記第一及び第二の連結部５，６は、それぞれ前記バネ線材４Ａとは反対側の箇所に、前記スライド装置の前記第一部材１及び第二部材２に連結するための枢着孔１２を備え、前記第一の連結部５の前記枢着孔１２をスライド装置の前記第一部材１に連結するとともに、前記第二の連結部６の前記枢着孔１２を前記第二部材２に連結して、これら第一部材１と第二部材２との間にスライド方向の弾性付勢が生ずるように構成したスライド装置である。
【００２１】
本願第３請求項に記載された発明は、電子機器の本体部と重合部とを重合配設し、この重合した状態から前記重合部を相対的に重合面方向にすれ違うようにスライド移動して重合面の一部を露出させることができるように、前記本体部と前記重合部とを前記請求項２記載のスライド装置により連結した構成の電子機器である。
【発明の効果】
【００２２】
本発明は上述のように構成したから、弾性部を上記従来例のようなスプリングユニットやトーションバネではなく、扁平な屈曲線形状のバネ線材を複数並設して成る構成とすることで、大きいスライド量に設定でき、また求める操作性やスライド量等を考慮してバネ線材の本数や長さ，形状を適宜設定することにより、弾性部の弾性付勢の強度を簡単に且つ多様に調整設定でき、所望のスライド方向の付勢を実現することができる。
【００２３】
その上、厚みのスペースが嵩張る問題も回避でき、薄型化やコンパクト化も容易に図り得る等、従来のこの種のスライド装置における問題を克服することができ、尚且つ製造容易にして量産性やコスト性にも優れ、極めて実用性のあるスライド装置を得ることができる。
【００２４】
また、弾性部の複数のバネ線材の各端部と、スライド装置の第一部材及び第二部材との連結を、シンプルな構造で極めて簡単且つ良好に実現できるので、量産性やコスト性に一層優れたスライド装置を得ることができる。
【００２５】
また、本発明においては、前記作用効果を確実且つ良好に発揮することができるスライド装置を用いているので、極めて実用性に優れた電子機器を得ることができる。
【図面の簡単な説明】
【００２６】
【図１】本実施例に係るスライド装置の弾性部４の説明斜視図である。
【図２】本実施例に係るスライド装置の要部説明分解斜視図である。
【図３】本実施例に係るスライド装置の弾性部４の作動を示す概略説明図である。
【図４】本実施例に係るスライド装置を用いた電子機器の使用状態図である。
【図５】本実施例に係るスライド装置の弾性部４の別例を示す説明平面図である。
【図６】本実施例に係るスライド装置の弾性部４の別例を示す説明平面図である。
【図７】本実施例に係るスライド装置の弾性部４の別例を示す説明図である。
【図８】本実施例に係るスライド装置の弾性部４の別例を示す説明図である。
【図９】本実施例に係るスライド装置の弾性部４の別例を示す説明図である。
【図１０】従来例を示す図である。
【発明を実施するための最良の形態】
【００２７】
以下、本発明の具体的な実施例について図面に基づいて説明する。
【００２８】
本例の弾性部４は、第一部材１と第二部材２とを重合面方向にスライド自在に重合連結したスライド装置の前記第一部材１と第二部材２との間に用いられる。
【００２９】
この弾性部４は、屈曲弾性自在な複数のバネ線材４Ａと、前記バネ線材４Ａの一端部と他端部にそれぞれ係止される第一の連結部５及び第二の連結部６と、を備える。
【００３０】
前記各バネ線材４Ａは、弓状に屈曲弾性自在な弓状屈曲部を有する所定の屈曲線形状を有し、且つ、前記一端部と他端部には屈曲若しくは湾曲した係止端部８を設けるとともに、この係止端部８を有するバネ線材４Ａの両端部は左右対称な形状に形成される。
【００３１】
前記連結部５，６は、前記複数のバネ線材４Ａの各端部を所定の並設間隔をおいてこの連結部５，６に抜け止め状態に係合する抜け止め係合部７を有するものであって、前記第一及び第二の連結部５，６は、共に同一の組み付け部材５Ａ，６Ａと共に同一の重合部材５Ｂ，６Ｂをそれぞれ別部品で形成し、且つ、当該組み付け部材５Ａ，６Ａと重合部材５Ｂ，６Ｂとを重合状態に組み付け固定する。
【００３２】
前記組み付け部材５Ａ，６Ａと前記重合部材５Ｂ，６Ｂの一方の重合面には、前記バネ線材４Ａの前記係止端部８と略合致する溝形状を形成し、且つ、当該係止端部８を嵌め込む溝部７ａを複数形成してこの複数の溝部７ａを前記抜け止め係合部７として構成する。
【００３３】
このようにして、前記抜け止め係合部７の各溝部７ａ内に前記バネ線材４Ａの端部を嵌め込んだ状態で前記組み付け部材５Ａ，６Ａと重合部材５Ｂ，６Ｂとを重合状態に組み付け固定することで、複数のバネ線材４Ａの各端部を所定の並設間隔を置いて前記連結部５，６に抜け止め保持した構成のスライド装置に用いられる弾性部である。
【００３４】
本例のものは、特に、抗縮バネを撓ませながらユニット基体部に組み込む面倒な手間を要するスプリングユニット型の従来装置とは違い、本発明では単に自由長状態（フリー状態）の複数のバネ線材４Ａの各端部を連結部５，６に組み付け固定するだけで簡単に弾性部４を製造でき、量産性やコスト性にも優れるものである。
【００３５】
この連結部５，６の構造は様々採用できるが、例えば後述の実施例のように、複数の各バネ線材４Ａの各端部をこの連結部５，６に所定の並設間隔を介して抜け止め状態に取り付けできれば良い。
【００３６】
即ち、例えば連結部５，６は、前記バネ線材４Ａの端部を抜け止め状態に係合する抜け止め係合部７を有する構成とし、前記バネ線材４Ａはその端部を第一部材１と第二部材２との重合面方向にしてスライド方向に屈曲若しくは湾曲し、前記連結部５，６の抜け止め係合部７に係合する屈曲状若しくは湾曲状の係止端部８を有する扁平状に構成すれば、簡単な構造で、しかもバネ線材４Ａは扁平状のまま（厚みが増すことなく）抜け止め構造を実現できることとなる。
【００３７】
特に、後述するように、前記連結部５，６は、組み付け部材５Ａ，６Ａと重合部材５Ｂ，６Ｂとを重合状態に組み付け固定して成る構成とし、この組み付け部材５Ａ，６Ａ，重合部材５Ｂ，６Ｂの少なくともいずれか一方の重合面には前記バネ線材４Ａの前記係止端部８と略合致する溝形状を有する溝部７ａを形成してこの溝部７ａを前記抜け止め係合部７として構成し、この抜け止め係合部７の溝部７ａ内に前記バネ線材４の係止端部８を嵌め込んだ状態で前記組み付け部材５Ａ，６Ａと重合部材５Ｂ，６Ｂとを重合状態に組み付け固定することでバネ線材４Ａの端部を連結部５，６に抜け止めした構成とした場合には、例えば図２に図示したように溝部７ａを連結部５，６に所定の並設間隔をおいて形成し、この各溝部７ａに各バネ線材４Ａの係止端部８を嵌め込むだけで、複数のバネ線材４Ａを簡単に所望の並設間隔で連結部５，６に組み付け可能となる。よって前述のように連結部５，６を介して複数のバネ線材４Ａを第一部材１や第二部材２に取り付ける取り付け構造を採用することで、複数のバネ線材４Ａを非常に簡単に且つ確実に所望の並設間隔となるように第一部材１及び第二部材２に良好に取り付けでき、一層製造容易にして量産面やコスト面に優れることとなる。
【００３８】
図４に示すものは、本体部と重合部とを重合配設し、この重合した状態から前記重合部を相対的に重合面方向にすれ違うようにスライド移動して重合面の一部を露出させることができるように前記本体部と前記重合部とをスライド装置により連結した電子機器に本発明を適用したものであり、具体的には、スライド式携帯電話に本発明を適用し、数字キーやファンクションキーを配列した操作部を上面側に設けた本体部を第一部材１とし、これにスライド自在に重合して前記操作部を隠蔽・露出自在に開閉する重合部を第二部材２とし、この第二部材２には所定の表示がなされる液晶パネル等のディスプレイ部を上側面に設け、この第一部材１と第二部材２とを相対スライド移動自在に連結するスライド装置としている。
【００３９】
図４に図示するように、第一部材１の上面側には、コ字型ガイドレール状に形成したスライドガイド部１Ａを左右に対向状態に設けている。具体的には、第一部材１の上面側に設けたスライドガイド部形成板１Ｂの左右縁部を折り返して左右にスライドガイド部１Ａを形成している。
【００４０】
一方、第二部材２には、前記左右のスライドガイド部１Ａ間にスライド係合するスライド部２Ａを設けている。具体的には、第二部材２の下面部に設けたスライド部形成板２Ｂの左右縁部に前記スライドガイド部１Ａにスライド係合するスライド部２Ａとしての板縁を突出形成した構成であり、このスライド部２Ａとしての板縁を前記第一部材１の左右のスライドガイド部１Ａに夫々スライド係合せしめて第一部材１と第二部材２とを相対スライド移動自在に連結している。
【００４１】
そして、弾性部４の一端を第一部材１のスライドガイド部形成板２Ｂの上面部所定箇所に枢着連結し、他端を第二部材２のスライド形成板２Ｂの下面部所定箇所に枢着連結して弾性部４の両端を第一部材１及び第二部材２に夫々連結している。
【００４２】
尚、例えばスライドガイド部１Ａ自体を第一部材１として設けた構成とするとともに、この第一部材１としてのスライドガイド部１Ａに弾性部４の一端を連結した構成としても良いし、また、例えば第一部材１に設けたスライドガイド部１Ａに弾性部４の一端を連結することでこの弾性部４の一端を前記スライドガイド部１Ａを介して第一部材１に連結した構成としても良い。同じく、例えばスライド部２Ａ自体を第二部材２として設け、この第二部材２としてのスライド部２Ａに弾性部４の他端を連結しても良いし、また例えば第二部材２に設けたスライド部２Ａに弾性部４の他端を連結することでこの弾性部４の他端を前記スライド部２Ａを介して第二部材２に連結した構成としても良い。
【００４３】
本例では、弾性部４を構成する複数のバネ線材４Ａの各端部を第一部材１若しくは第二部材２に夫々連結する前記連結部５，６は、複数のバネ線材４Ａの各端部を所定の並設間隔をおいてこの連結部５，６に抜け止め状態に取り付け係止若しくは取り付け止着する構成としている。
【００４４】
各バネ線材４Ａは、図１及び図２に示すように、全体視弓状に形成するとともに、その左右端部をＬ字型に屈曲し、弓状に屈曲弾性変形自在な中央弓状屈曲部の左右端部に、Ｌ字型の後述する係止端部８を設けている。また、本例では、弾性部４に３本のバネ線材４Ａを用い、この各バネ線材４Ａは互いに異なる巾寸法に設定している。
【００４５】
尚、本例では、金属製の線材を前記の形状に屈曲形成してバネ線材４Ａを構成しているが、例えば所定の屈曲線形状に型枠成型或いはプレス成形した構成としても良い。
【００４６】
また、バネ線材４Ａの形状は、本例の全体視弓状のものに限らず、例えば図５及び図６に示すように、左右の両端部間に折り返し部を複数有する蛇行状に形成した構成としても良い。このように蛇行状に形成した場合には、バネ線材４Ａの左右の端部間の距離を短く設定でき、短いスライド量に設定する場合に好適である。
【００４７】
その他、求める操作性やスライド量等を考慮して、このバネ線材４Ａの本数や長さ，形状を適宜設定することにより、弾性部４の弾性付勢の強度を簡単に且つ多様に調整設定することができる。
【００４８】
これらのバネ線材４Ａは、例えば連結部５，６に各バネ線材４Ａの端部をネジで螺着したり、接着材により接着して取り付け止着した構成としても良いが、本例においては、図２に示すように、前記連結部５，６に前記バネ線材４Ａの端部を抜け止め状態に係合する抜け止め係合部７を設け、一方バネ線材４Ａには、図２に示すように、その各端部を第一部材１と第二部材２との重合面方向にしてスライド方向に屈曲若しくは湾曲することにより、前記連結部５，６の抜け止め係合部７に係合する屈曲状若しくは湾曲状の係止端部８を設けた構成とし、このバネ線材４Ａの各係止端部８を夫々前記連結部５，６の抜け止め係合部７に係合することによってバネ線材４Ａの各端部を連結部５，６に抜け止め状態に取り付け係止する構成である。
【００４９】
本例では、上述のように全体視弓状のバネ線材４Ａの左右端部をＬ型に屈曲して係止端部８を設けた構成であり、このように単にバネ線材４Ａの両端部を屈曲若しくは湾曲して簡単にその両端部に係止端部８を設けることができるとともに、第一部材１と第二部材２との重合面方向にしてスライド方向に屈曲若しくは湾曲しているので、扁平状が保持されこの係止端部８によってバネ線材４Ａの厚み寸法が増すことも無い。
【００５０】
また、連結部５，６は、図２に示すように、組み付け部材５Ａ，６Ａと重合部材５Ｂ，６Ｂとを重合状態に組み付け固定して成る構成とする。そして、この組み付け部材５Ａ，６Ａ，重合部材５Ｂ，６Ｂの少なくともいずれか一方の重合面（本例では、組み付け部材５Ａ，６Ａの重合面）には前記バネ線材４Ａの前記係止端部８と略合致する溝形状を有する溝部７ａを形成し、この溝部７ａを、前記の抜け止め係合部７として構成している。尚、これら連結部５，６の組み付け部材５Ａ，６Ａや重合部材５Ｂ，６Ｂは成型品とする。
【００５１】
この溝部７ａは、図２に示すように、バネ線材４Ａの係止端部８を有する各端部と略合致する溝形状に形成している。本例では、係止端部８をＬ字型に形成しており、従って、抜け止め係合部７としての各溝部７ａも夫々Ｌ字型溝に形成している。
【００５２】
また、連結部５，６の各組み付け部材５Ａ，６Ａの重合面には、この溝部７ａを所定の並設間隔を介して３箇所、即ちバネ線材４Ａの本数分だけ形成している。
【００５３】
従って、この組み付け部材５Ａ，６Ａの各溝部７ａ内に、バネ線材４Ａの各係止端部８を嵌め込むことで、複数のバネ線材４Ａの各端部を所望の並設間隔となるように前記溝部７ａ内に位置決めすることができる。
【００５４】
また、本例では、連結部５，６を構成する組み付け部材５Ａ，６Ａと重合部材５Ｂ，６Ｂのうち一方の部材には重合位置決め用の凸部１０を設け、他方の部材には前記凸部１０が嵌合する凹部１１を設け、前記凸部１０と凹部１１とを凹凸嵌合することでこの組み付け部材５Ａ，６Ａと重合部材５Ｂ，６Ｂとが位置決め状態に重合されるように構成している。
【００５５】
また、組み付け部材５Ａ，６Ａと重合部材５Ｂ，６Ｂのうち一方の部材の立ち上がり外縁部には外方突出状態に係止凸部１３Ａを設け、他方の部材の立ち上がり縁部には前記係止凸部１３Ａが引っ掛り係合する係合部１３Ｂを設け、この組み付け部材５Ａ，６Ａと重合部材５Ｂ，６Ｂとを互いに重合配設することで前記係止凸部１３Ａと係合部１３Ｂとが凹凸係合してこの重合状態が係合保持されるように構成している。
【００５６】
従って、本例においては、煩わしい作業は不要であり、単に組み付け部材５Ａ，６Ａの各溝部７ａ内に、バネ線材４Ａの各係止端部８を嵌め込んだ上、重合部材５Ｂ，６Ｂを重合配設する簡単な作業だけで、組み付け部材５Ａ，６Ａと重合部材５Ｂ，６Ｂとを重合状態に係合保持できるとともに、各溝部７ａ内に前記バネ線材４Ａの各係止端部８が抜け止め状態で取り付け係止することができる。これにより、極めて作業性良く且つ簡単に弾性部４を組み付け製造することが可能となる。
【００５７】
また、本例では、各バネ線材４Ａの係止端部８を有する両端部は互いに左右対称な形状に構成している。従って、第一及び第二の連結部５，６の組み付け部材５Ａ，６Ａは互いに同一形状とし、また、第一及び第二の連結部５，６の重合部材５Ｂ，６Ｂも互いに同一形状とし、組み付け部材５Ａ，６Ａと重合部材５Ｂ，６Ｂの上下位置を逆転してバネ線材４Ａの左右の端部に夫々取り付けている。
【００５８】
以上のように、本例の弾性部４は、コストの高い部品は必要とせずに、単に線材を屈曲形成して成る数本のバネ線材４Ａと、量産性に秀でた成型部材（組み付け部材５Ａ，６Ａ及び重合部５Ｂ，６Ｂ）から成る連結部５，６との組み合わせにより弾性部４を構成しているため、部品コストを低く抑えることができることは勿論、弾性部４の組み付けも作業性良く簡単に実施でき量産性にも優れるものである。通常は、複数のバネ線材４Ａを直接第一部材１や第二部材２に所望の並設間隔で連結することは困難であるが、本例では、連結部５，６を用いた前述のような連結構造を採用することで、複数のバネ線材４Ａを極めて簡単に第一部材１や第二部材２に連結でき、その上、各バネ線材４Ａを確実に所望の並設間隔となるように良好に連結せしめることができるので、量産性やコスト性に優れた構造を得ることができる。
【００５９】
尚、各連結部５，６には夫々、組み付け部材５Ａ，６Ａの所定部位に枢着孔１２を形成している。具体的には、図１及び図２に示すように、各バネ線材４Ａが側方突出する連結部５，６の一側部と反対側の他側部に夫々枢着孔１２を形成する。この枢着孔１２を軸に、各連結部５，６を夫々第一部材１若しくは第二部材２に枢着連結することで、前記各バネ線材４Ａの各端部を連結部５，６を介して第一部材１若しくは第二部材２に相対回動自在に枢着連結した構成としている。
【００６０】
図３は、以上のように構成した本実施例の第一部材１に対して第二部材２をスライド移動操作した際の弾性部４の作動を示すものである。
【００６１】
弾性部４の左右両端の連結部５，６のうち、図３中、右側が第一部材１と枢着連結する第一の連結部５で、図３中、左側が第二部材２と枢着連結する第二の連結部６である。
【００６２】
図３中、符号Ｐ１は、図４（ａ）のように第一部材１（本体部）に対して第二部材２（重合部）を重合閉塞位置とした際の第一の連結部５に対する第二の連結部６の位置Ｐ１を示すものである。符号Ｐ２は、第一部材１に対して第二部材２をスライド操作し、第一の連結部５の位置と第二の連結部６の位置とがスライド方向と直交する横方向に並んだ際の前記連結部６の位置Ｐ２を示すものである。符号Ｐ３は、図４（ｂ）に図示したように第一部材１に対して第二部材２をスライド開放位置とした際の第一の連結部５に対する第二の連結部６の位置Ｐ３を示すものである。
【００６３】
本例では、図３に図示したように、第一の連結部５に対して第二の連結部６が位置Ｐ１或いは位置Ｐ３にある状態で、各バネ線材４Ａが自由長状態（フリー状態）にはならず依然として各バネ線材４Ａの弾性により連結部５，６同志が離反することとなるスライド方向の付勢が生ずるように弾性部４を設定している。
【００６４】
従って、図４（ａ）に示すように、第一部材１に対して第二部材２を重合閉塞位置とした際には、前記弾性部４によりこの第二部材２が重合閉塞位置に位置決め保持付勢され、一方、図４（ｂ）に示すように、第一部材１に対して第二部材２をスライド開放位置とした際には、前記弾性部４によりこの第二部材２がスライド開放位置に位置決め保持付勢されることとなる。
【００６５】
また、第一部材１に対して第二部材２をスライド移動させる際、第一部材１に対して第二部材２を所定長スライド移動させるまでは（具体的には、図３に示すように第一の連結部５に対して第二の連結部６が位置Ｐ２に到達するまでは）、第二部材２が戻り動するスライド方向に戻り付勢が生ずることとなるが、所定長スライド移動させると逆に第二部材２が進み動するスライド方向に進み付勢が生ずることとなる。つまり、例えば第一部材１に対して第二部材２を重合閉塞位置からスライド開放位置までスライド移動操作する場合には、図３に示すように、第一の連結部５に対して第二の連結部６が位置Ｐ１から位置Ｐ２に到達するまでのスライド範囲においては戻り付勢が生じ、一方、第二の連結部６が位置Ｐ２から位置Ｐ３に到達するまでのスライド範囲においては、逆に進み付勢が生ずることとなる。
【００６６】
更に、本例では、連結部５，６は夫々、二部品（組み付け部材５Ａ，６Ａと重合部材５Ｂ，６Ｂ）から成る構成とし、この二部品間に挟み込むように各バネ線材４Ａの各端部を連結部５，６に抜け止め状態に取り付け係止する構成としている。
【００６７】
尚、必要に応じては、例えば図７，８，９に図示した本例の別例のように、弾性部４の前記連結部５，６間のバネ線材４Ａの中央部を覆う保護部材９を備えた構成としても良い。
【００６８】
詳述すると、例えば図７は、保護部材９としての箱型（筒型）の成形品内に前記バネ線材４Ａを通過させ、この保護部材９により弾性部４のバネ線材４Ａの中央部にして上下両面側を保護する構成を示すものであり、前記バネ線材４がこの箱状の保護部材９によって弾性変形を邪魔されないように、この保護部材９はバネ線材４Ａが弾性変形可能な十分なクリアランスを有する箱型（筒型）に形成する。
【００６９】
上述のように金属製のバネ線材４Ａは、他部品と接触し摺動することで他部品にキズを付けたり表面層を剥離したりする懸念があるが、この点、本例においては、バネ線材４Ａの上下に配される他部品と当該バネ線材４Ａとの接触を前記保護部材９により確実に阻止でき（保護部材９と他部品とが接触することとなり）、よってバネ線材４Ａにより他部品がキズ付いたり、他部品の表面処理層（塗装等）が剥離されその剥離層（ゴミ）が所定箇所に侵入したり溜まったりしてスライド操作性を損ねたり動作不良を招いたりするトラブルを阻止できる。
【００７０】
また、例えば図８のものは、弾性部４のバネ線材４Ａの中央部にして周囲を、前記保護部材９としてのゴム性のチューブによって覆った構成を示すものであり、図７に示す保護部材９と同様に、バネ線材４Ａと他部材との接触を阻止し良好な保護作用が得られる。また、特に、ゴム性のチューブで保護部材９が構成されているため、保護部材９と他部品とが摺動しても摺れによる騒音がより一層生じにくい。
【００７１】
また、例えば図９のものは、弾性部４の片側，即ちバネ線材４の中央部にして片面のみを板状の保護部材９によって覆い、保護する構成を示すものである。具体的には、扁平な板材の所定箇所に、前記弾性部４のバネ線材４Ａの周辺部位に被嵌係止して取り付け保持するフック状若しくは爪形状の取付係止部９ａを複数設ける構成である。図示の例では、弾性部４の複数のバネ線材４Ａのうちの所定の一本のバネ線材４Ａに対し、長さ方向に所定間隔をおいて三箇所に被嵌係止し得る三つの取付係止部９ａを設けた構成としており、この保護部材９を弾性部４に確実に取り付け保持できるとともに、この保護部材９が前記バネ線材４Ａの弾性変形の弊害となる心配も無い。一般に、スライド装置はその構造上、バネ線材４の片面のみが外側に露出して他の部品と接触することとなるので、この他部品と接触し得る片面のみを保護部材９で保護すれば、図７や図８に示す保護部材９と同様の良好な保護作用が得られることとなる。
【産業上の利用可能性】
【００７２】
本発明の弾性部は、第一部材と第二部材が重合面方向にスライド自在に重合連結したスライド装置一般に適用でき、また、スライド装置は、具体例では携帯電話機に用いたが、この他にも、開閉又は回動するもの一般に用いることができ、また、電子機器も、携帯電話機にかかわらず他の電子機器に適用することが可能である。
【符号の説明】
【００７３】
１    第一部材
１Ａ    スライドガイド部
２    第二部材
２Ａ    スライド部
４    弾性部
４Ａ    バネ線材
５    連結部
５Ａ    組み付け部材
５Ｂ    重合部材
６    連結部
６Ａ    組み付け部材
６Ｂ    重合部材
７    抜け止め係合部
７ａ    溝部
８    係止端部
９    保護部材
１２    枢着孔
【図１】
2009133495.tif 000003
【図２】
2009133495.tif 000004
【図３】
2009133495.tif 000005
【図４】
2009133495.tif 000006
【図５】
2009133495.tif 000007
【図６】
2009133495.tif 000008
【図７】
2009133495.tif 000009
【図８】
2009133495.tif 000010
【図９】
2009133495.tif 000011
【図１０】
2009133495.tif 000012
【手続補正書】
【提出日】平成21年4月15日(2009.4.15)
【手続補正１】
【補正対象書類名】明細書
【補正対象項目名】全文
【補正方法】変更
【補正の内容】
【発明の詳細な説明】
【技術分野】
【０００１】
本発明は、スライド装置に用いられる弾性部とそのスライド装置並びにスライド装置を用いた携帯電話、モバイル等の電子機器に関するものである。
【背景技術】
【０００２】
従来、例えば、数字キーやファンクションキーを配列した操作部を本体部の上側面に設け、所定の表示がなされる液晶パネル等のディスプレイ部を、前記本体部に重合する重合部の上側面に設け、この本体部と重合部とを前後方向に相対的に移動する構造のスライド式の携帯電話が知られている。
【０００３】
これは、重合部に左右に間隔を置いてスライドガイド部としてのガイドレール部を設け、この左右のガイドレール部にスライド係合するスライド部を本体部に設け、ガイドレール部に対してスライド部が相対的にスライド移動することで、重合部と本体部とをスライド移動自在に連結する構成としている。
【０００４】
このようなスライド式の携帯電話のスライド構造を実現するスライド装置は、前述のように左右に設けたスライドガイド部間にスライド部をその両端部をスライド自在に係合させて、スライドガイド部に対してスライド部をスライド自在に係合する構成である。
【０００５】
即ち、例えば、互いにスライド自在に係合させたい一方の第一部材と他方の第二部材のうち一方の第一部材には、二本のガイドレール部を対向状態に並設し、両端部にスライド係合部を設けたスライド部を他方の第二部材に設けたり、或いは両端部に各ガイドレール部にスライド自在に係合させるスライド係合部を設けて他方の第二部材自体をスライド部として構成し、このスライド部をその両端部のスライド係合部を前記第一部材のスライドガイド部にスライド係合させ、スライドガイド部間にスライド部をスライド係合して第一部材に対して第二部材をスライド移動自在にスライド係合する構成である。
【０００６】
ところで、このように本体部と重合部とをスライド移動自在に連結するスライド装置を用いたスライド式の携帯電話は、本体部の操作部を重合部で隠蔽した重合閉塞位置と、重合部を位置ズレするように前後方向へスライド移動させて操作部を露出させたスライド開放位置とで位置決め保持（閉じ付勢や開き付勢あるいはクリック係合）するように構成することが望ましい。
【０００７】
そこで、このような要望に応えるべく、弾性部の一端を第一部材に連結し他端を第二部材に連結し、この弾性部の弾圧付勢によって第一部材と第二部材との間にスライド方向の付勢を生ずるように構成したスライド装置が知られている。
【０００８】
即ち、例えば、線材の両端部間の途中部にてこの線材をコイル状に多重巻回しこのコイル状部を頂部にして全体視ヘ字状に形成したトーションバネを弾性部とし、このトーションバネの一端を第一部材に連結し、他端を第二部材に連結し、このトーションバネの両端の連結部が互いに離れようとする弾性付勢（拡角付勢）により第一部材と第二部材との間にスライド方向の付勢を生ずるように構成したもの（以下、「トーションバネ型」と呼ぶ）がある。
【０００９】
また、例えば、図１０に示すように、複数本のコイル状の抗縮バネ１４を枠状のユニット基体部１５に並列して成るスプリングユニットを弾性部４とし、このスプリングユニットの一端を第一部材に連結し、他端を第二部材に連結し、このスプリングユニットの両端の連結部が互いに離れようとする弾性付勢により第一部材と第二部材との間にスライド方向の付勢を生ずるように構成したもの（以下、「スプリングユニット型」と呼ぶ）がある。
【００１０】
このように弾性部の弾性付勢から生ずるスライド方向の付勢を利用することで、例えばスライド式の携帯電話の本体部に対して重合部を閉じ付勢してこの重合部を重合閉塞位置に位置決め保持する，或いは本体部に対して重合部を開き付勢してこの重合部をスライド開放位置に位置決め保持するといった位置決め保持機能を実現することができる。
【先行技術文献】
【特許文献】
【００１１】
【特許文献１】特開２００５−２９１３１５号公報
【特許文献２】特開２００６−２１７５９４号公報
【特許文献３】特開２００７−０２８４１７号公報
【発明の概要】
【発明が解決しようとする課題】
【００１２】
しかしながら、上述のような従来装置には夫々様々な問題点がある。
【００１３】
即ち、例えば図１０に図示したスプリングユニット型のスライド装置は、その構造上、スプリングユニットを構成する各抗縮バネ１４の自由長と密着長の長さに応じて第一部材と第二部材とのスライド量が制限され、スライド量の小さいスライド構造のものにしか採用できない。
【００１４】
また、弾性部、即ちスプリングユニットの製造には複数本のシャフト（図示省略）と抗縮バネ１４を使用し、抗縮バネ１４を撓ませながら枠状のユニット基体部１５にこの複数本の抗縮バネ１４とシャフトとを組み込むという非常に手間のかかる作業を要し、これが製造の困難性やコスト高の大きな要因となっている。
【００１５】
一方、トーションバネ型のスライド装置は、線材の撓みによってトーションバネの両端の連結部間の距離を大きく拡狭できる構成である為、前述のスプリングユニット型のスライド装置に比してスライド量を大きく設定するに適した構造と言える。しかし、トーションバネの応力及び荷重を考慮すると、やはりスライド量には制限がある。つまり、大きいスライド範囲で十分大きいスライド方向の付勢が生ずるように、強いトーションバネを採用した場合、それだけ応力が大きくなりこのトーションバネの弾性付勢に抗する方向へのスライド操作が重くなる等操作性が犠牲になる。
【００１６】
また、このトーションバネ型は、トーションバネの両端部間の途中部に形成されるコイル状部において、線材を３重から４重に多重巻回している為、どうしてもそれだけ厚みによってスペースが嵩張る。しかも、このようなスライド装置を携帯電話等の電子機器に組み込む場合、トーションバネのコイル状部が位置する近辺に、ちょうどＦＰＣ（フレキシブルプリント基板）が配される場合が多々ある。よって、このトーションバネのコイル状部の厚みが、ＦＰＣ等の電子部品の配設の邪魔となり、ひいてはこの種の電子機器の薄型化・コンパクト化の妨げとなっている。
【００１７】
本発明は、弾性部の弾性付勢によってスライド方向の付勢を生ずるこの種のスライド装置について更なる研究・開発を進め、大きなスライド量に設定でき、厚みによってスペースが嵩張る問題も回避でき、弾性部の弾性付勢の強度設定を容易に図り得て、尚且つ量産性やコスト性にも優れたスライド装置の弾性部及びそのスライド装置並びにスライド装置を用いた電子機器を提供することを課題とする。
【課題を解決するための手段】
【００１８】
添付図面を参照して本発明の要旨を説明する。
【００１９】
本願第１請求項に記載された発明は、第一部材１と第二部材２とを重合面方向にスライド自在に重合連結したスライド装置の前記第一部材１と第二部材２との間に用いられる弾性部４において、
屈曲弾性自在な複数のバネ線材４Ａと、
前記バネ線材４Ａの一端部と他端部にそれぞれ係止される第一の連結部５及び第二の連結部６と、を備え、
前記各バネ線材４Ａは、弓状に屈曲弾性自在な弓状屈曲部を有する所定の屈曲線形状を有し、且つ、前記一端部と他端部には屈曲若しくは湾曲した係止端部８を設けるとともに、この係止端部８を有するバネ線材４Ａの両端部は左右対称な形状に形成し、
前記連結部５，６は、前記複数のバネ線材４Ａの各端部を所定の並設間隔をおいてこの連結部５，６に抜け止め状態に係合する抜け止め係合部７を有するものであって、前記第一及び第二の連結部５，６は、共に同一の組み付け部材５Ａ，６Ａと共に同一の重合部材５Ｂ，６Ｂをそれぞれ別部品で形成するとともに、当該組み付け部材５Ａ，６Ａと重合部材５Ｂ，６Ｂとを重合状態に組み付け固定し、
前記組み付け部材５Ａ，６Ａと前記重合部材５Ｂ，６Ｂの一方の重合面には前記バネ線材４Ａの前記係止端部８と略合致する溝形状を形成し且つ当該係止端部８を嵌め込む溝部７ａを複数形成してこの複数の溝部７ａを前記抜け止め係合部７として構成し、
前記抜け止め係合部７の各溝部７ａ内に前記バネ線材４Ａの端部を嵌め込んだ状態で前記組み付け部材５Ａ，６Ａと重合部材５Ｂ，６Ｂとを重合状態に組み付け固定することで、複数のバネ線材４Ａの各端部を所定の並設間隔を置いて前記連結部５，６に抜け止め保持した構成のスライド装置に用いられる弾性部である。
【００２０】
本願第２請求項に記載された発明は、前記請求項１記載の弾性部４において、前記重合状態に組み付け固定された前記第一及び第二の連結部５，６は、それぞれ前記バネ線材４Ａとは反対側の箇所に、前記スライド装置の前記第一部材１及び第二部材２に連結するための枢着孔１２を備え、前記第一の連結部５の前記枢着孔１２をスライド装置の前記第一部材１に連結するとともに、前記第二の連結部６の前記枢着孔１２を前記第二部材２に連結して、これら第一部材１と第二部材２との間にスライド方向の弾性付勢が生ずるように構成したスライド装置である。
【００２１】
本願第３請求項に記載された発明は、電子機器の本体部と重合部とを重合配設し、この重合した状態から前記重合部を相対的に重合面方向にすれ違うようにスライド移動して重合面の一部を露出させることができるように、前記本体部と前記重合部とを前記請求項２記載のスライド装置により連結した構成の電子機器である。
【発明の効果】
【００２２】
本発明は上述のように構成したから、弾性部を上記従来例のようなスプリングユニットやトーションバネではなく、扁平な屈曲線形状のバネ線材を複数並設して成る構成とすることで、大きいスライド量に設定でき、また求める操作性やスライド量等を考慮してバネ線材の本数や長さ，形状を適宜設定することにより、弾性部の弾性付勢の強度を簡単に且つ多様に調整設定でき、所望のスライド方向の付勢を実現することができる。
【００２３】
その上、厚みのスペースが嵩張る問題も回避でき、薄型化やコンパクト化も容易に図り得る等、従来のこの種のスライド装置における問題を克服することができ、尚且つ製造容易にして量産性やコスト性にも優れ、極めて実用性のあるスライド装置を得ることができる。
【００２４】
また、弾性部の複数のバネ線材の各端部と、スライド装置の第一部材及び第二部材との連結を、シンプルな構造で極めて簡単且つ良好に実現できるので、量産性やコスト性に一層優れたスライド装置を得ることができる。
【００２５】
また、本発明においては、前記作用効果を確実且つ良好に発揮することができるスライド装置を用いているので、極めて実用性に優れた電子機器を得ることができる。
【図面の簡単な説明】
【００２６】
【図１】本実施例に係るスライド装置の弾性部４の説明斜視図である。
【図２】本実施例に係るスライド装置の要部説明分解斜視図である。
【図３】本実施例に係るスライド装置の弾性部４の作動を示す概略説明図である。
【図４】本実施例に係るスライド装置を用いた電子機器の使用状態図である。
【図５】本実施例に係るスライド装置の弾性部４の別例を示す説明平面図である。
【図６】本実施例に係るスライド装置の弾性部４の別例を示す説明平面図である。
【図７】本実施例に係るスライド装置の弾性部４の別例を示す説明図である。
【図８】本実施例に係るスライド装置の弾性部４の別例を示す説明図である。
【図９】本実施例に係るスライド装置の弾性部４の別例を示す説明図である。
【図１０】従来例を示す図である。
【発明を実施するための最良の形態】
【００２７】
以下、本発明の具体的な実施例について図面に基づいて説明する。
【００２８】
本例の弾性部４は、第一部材１と第二部材２とを重合面方向にスライド自在に重合連結したスライド装置の前記第一部材１と第二部材２との間に用いられる。
【００２９】
この弾性部４は、屈曲弾性自在な複数のバネ線材４Ａと、前記バネ線材４Ａの一端部と他端部にそれぞれ係止される第一の連結部５及び第二の連結部６と、を備える。
【００３０】
前記各バネ線材４Ａは、弓状に屈曲弾性自在な弓状屈曲部を有する所定の屈曲線形状を有し、且つ、前記一端部と他端部には屈曲若しくは湾曲した係止端部８を設けるとともに、この係止端部８を有するバネ線材４Ａの両端部は左右対称な形状に形成される。
【００３１】
前記連結部５，６は、前記複数のバネ線材４Ａの各端部を所定の並設間隔をおいてこの連結部５，６に抜け止め状態に係合する抜け止め係合部７を有するものであって、前記第一及び第二の連結部５，６は、共に同一の組み付け部材５Ａ，６Ａと共に同一の重合部材５Ｂ，６Ｂをそれぞれ別部品で形成し、且つ、当該組み付け部材５Ａ，６Ａと重合部材５Ｂ，６Ｂとを重合状態に組み付け固定する。
【００３２】
前記組み付け部材５Ａ，６Ａと前記重合部材５Ｂ，６Ｂの一方の重合面には、前記バネ線材４Ａの前記係止端部８と略合致する溝形状を形成し、且つ、当該係止端部８を嵌め込む溝部７ａを複数形成してこの複数の溝部７ａを前記抜け止め係合部７として構成する。
【００３３】
このようにして、前記抜け止め係合部７の各溝部７ａ内に前記バネ線材４Ａの端部を嵌め込んだ状態で前記組み付け部材５Ａ，６Ａと重合部材５Ｂ，６Ｂとを重合状態に組み付け固定することで、複数のバネ線材４Ａの各端部を所定の並設間隔を置いて前記連結部５，６に抜け止め保持した構成のスライド装置に用いられる弾性部である。
【００３４】
本例のものは、特に、抗縮バネを撓ませながらユニット基体部に組み込む面倒な手間を要するスプリングユニット型の従来装置とは違い、本発明では単に自由長状態（フリー状態）の複数のバネ線材４Ａの各端部を連結部５，６に組み付け固定するだけで簡単に弾性部４を製造でき、量産性やコスト性にも優れるものである。
【００３５】
この連結部５，６の構造は様々採用できるが、例えば後述の実施例のように、複数の各バネ線材４Ａの各端部をこの連結部５，６に所定の並設間隔を介して抜け止め状態に取り付けできれば良い。
【００３６】
即ち、例えば連結部５，６は、前記バネ線材４Ａの端部を抜け止め状態に係合する抜け止め係合部７を有する構成とし、前記バネ線材４Ａはその端部を第一部材１と第二部材２との重合面方向にしてスライド方向に屈曲若しくは湾曲し、前記連結部５，６の抜け止め係合部７に係合する屈曲状若しくは湾曲状の係止端部８を有する扁平状に構成すれば、簡単な構造で、しかもバネ線材４Ａは扁平状のまま（厚みが増すことなく）抜け止め構造を実現できることとなる。
【００３７】
特に、後述するように、前記連結部５，６は、組み付け部材５Ａ，６Ａと重合部材５Ｂ，６Ｂとを重合状態に組み付け固定して成る構成とし、この組み付け部材５Ａ，６Ａ，重合部材５Ｂ，６Ｂの少なくともいずれか一方の重合面には前記バネ線材４Ａの前記係止端部８と略合致する溝形状を有する溝部７ａを形成してこの溝部７ａを前記抜け止め係合部７として構成し、この抜け止め係合部７の溝部７ａ内に前記バネ線材４の係止端部８を嵌め込んだ状態で前記組み付け部材５Ａ，６Ａと重合部材５Ｂ，６Ｂとを重合状態に組み付け固定することでバネ線材４Ａの端部を連結部５，６に抜け止めした構成とした場合には、例えば図２に図示したように溝部７ａを連結部５，６に所定の並設間隔をおいて形成し、この各溝部７ａに各バネ線材４Ａの係止端部８を嵌め込むだけで、複数のバネ線材４Ａを簡単に所望の並設間隔で連結部５，６に組み付け可能となる。よって前述のように連結部５，６を介して複数のバネ線材４Ａを第一部材１や第二部材２に取り付ける取り付け構造を採用することで、複数のバネ線材４Ａを非常に簡単に且つ確実に所望の並設間隔となるように第一部材１及び第二部材２に良好に取り付けでき、一層製造容易にして量産面やコスト面に優れることとなる。
【００３８】
図４に示すものは、本体部と重合部とを重合配設し、この重合した状態から前記重合部を相対的に重合面方向にすれ違うようにスライド移動して重合面の一部を露出させることができるように前記本体部と前記重合部とをスライド装置により連結した電子機器に本発明を適用したものであり、具体的には、スライド式携帯電話に本発明を適用し、数字キーやファンクションキーを配列した操作部を上面側に設けた本体部を第一部材１とし、これにスライド自在に重合して前記操作部を隠蔽・露出自在に開閉する重合部を第二部材２とし、この第二部材２には所定の表示がなされる液晶パネル等のディスプレイ部を上側面に設け、この第一部材１と第二部材２とを相対スライド移動自在に連結するスライド装置としている。
【００３９】
図４に図示するように、第一部材１の上面側には、コ字型ガイドレール状に形成したスライドガイド部１Ａを左右に対向状態に設けている。具体的には、第一部材１の上面側に設けたスライドガイド部形成板１Ｂの左右縁部を折り返して左右にスライドガイド部１Ａを形成している。
【００４０】
一方、第二部材２には、前記左右のスライドガイド部１Ａ間にスライド係合するスライド部２Ａを設けている。具体的には、第二部材２の下面部に設けたスライド部形成板２Ｂの左右縁部に前記スライドガイド部１Ａにスライド係合するスライド部２Ａとしての板縁を突出形成した構成であり、このスライド部２Ａとしての板縁を前記第一部材１の左右のスライドガイド部１Ａに夫々スライド係合せしめて第一部材１と第二部材２とを相対スライド移動自在に連結している。
【００４１】
そして、弾性部４の一端を第一部材１のスライドガイド部形成板２Ｂの上面部所定箇所に枢着連結し、他端を第二部材２のスライド形成板２Ｂの下面部所定箇所に枢着連結して弾性部４の両端を第一部材１及び第二部材２に夫々連結している。
【００４２】
尚、例えばスライドガイド部１Ａ自体を第一部材１として設けた構成とするとともに、この第一部材１としてのスライドガイド部１Ａに弾性部４の一端を連結した構成としても良いし、また、例えば第一部材１に設けたスライドガイド部１Ａに弾性部４の一端を連結することでこの弾性部４の一端を前記スライドガイド部１Ａを介して第一部材１に連結した構成としても良い。同じく、例えばスライド部２Ａ自体を第二部材２として設け、この第二部材２としてのスライド部２Ａに弾性部４の他端を連結しても良いし、また例えば第二部材２に設けたスライド部２Ａに弾性部４の他端を連結することでこの弾性部４の他端を前記スライド部２Ａを介して第二部材２に連結した構成としても良い。
【００４３】
本例では、弾性部４を構成する複数のバネ線材４Ａの各端部を第一部材１若しくは第二部材２に夫々連結する前記連結部５，６は、複数のバネ線材４Ａの各端部を所定の並設間隔をおいてこの連結部５，６に抜け止め状態に取り付け係止若しくは取り付け止着する構成としている。
【００４４】
各バネ線材４Ａは、図１及び図２に示すように、全体視弓状に形成するとともに、その左右端部をＬ字型に屈曲し、弓状に屈曲弾性変形自在な中央弓状屈曲部の左右端部に、Ｌ字型の後述する係止端部８を設けている。また、本例では、弾性部４に３本のバネ線材４Ａを用い、この各バネ線材４Ａは互いに異なる巾寸法に設定している。
【００４５】
尚、本例では、金属製の線材を前記の形状に屈曲形成してバネ線材４Ａを構成しているが、例えば所定の屈曲線形状に型枠成型或いはプレス成形した構成としても良い。
【００４６】
また、バネ線材４Ａの形状は、本例の全体視弓状のものに限らず、例えば図５及び図６に示すように、左右の両端部間に折り返し部を複数有する蛇行状に形成した構成としても良い。このように蛇行状に形成した場合には、バネ線材４Ａの左右の端部間の距離を短く設定でき、短いスライド量に設定する場合に好適である。
【００４７】
その他、求める操作性やスライド量等を考慮して、このバネ線材４Ａの本数や長さ，形状を適宜設定することにより、弾性部４の弾性付勢の強度を簡単に且つ多様に調整設定することができる。
【００４８】
これらのバネ線材４Ａは、例えば連結部５，６に各バネ線材４Ａの端部をネジで螺着したり、接着材により接着して取り付け止着した構成としても良いが、本例においては、図２に示すように、前記連結部５，６に前記バネ線材４Ａの端部を抜け止め状態に係合する抜け止め係合部７を設け、一方バネ線材４Ａには、図２に示すように、その各端部を第一部材１と第二部材２との重合面方向にしてスライド方向に屈曲若しくは湾曲することにより、前記連結部５，６の抜け止め係合部７に係合する屈曲状若しくは湾曲状の係止端部８を設けた構成とし、このバネ線材４Ａの各係止端部８を夫々前記連結部５，６の抜け止め係合部７に係合することによってバネ線材４Ａの各端部を連結部５，６に抜け止め状態に取り付け係止する構成である。
【００４９】
本例では、上述のように全体視弓状のバネ線材４Ａの左右端部をＬ型に屈曲して係止端部８を設けた構成であり、このように単にバネ線材４Ａの両端部を屈曲若しくは湾曲して簡単にその両端部に係止端部８を設けることができるとともに、第一部材１と第二部材２との重合面方向にしてスライド方向に屈曲若しくは湾曲しているので、扁平状が保持されこの係止端部８によってバネ線材４Ａの厚み寸法が増すことも無い。
【００５０】
また、連結部５，６は、図２に示すように、組み付け部材５Ａ，６Ａと重合部材５Ｂ，６Ｂとを重合状態に組み付け固定して成る構成とする。そして、この組み付け部材５Ａ，６Ａ，重合部材５Ｂ，６Ｂの少なくともいずれか一方の重合面（本例では、組み付け部材５Ａ，６Ａの重合面）には前記バネ線材４Ａの前記係止端部８と略合致する溝形状を有する溝部７ａを形成し、この溝部７ａを、前記の抜け止め係合部７として構成している。尚、これら連結部５，６の組み付け部材５Ａ，６Ａや重合部材５Ｂ，６Ｂは成型品とする。
【００５１】
この溝部７ａは、図２に示すように、バネ線材４Ａの係止端部８を有する各端部と略合致する溝形状に形成している。本例では、係止端部８をＬ字型に形成しており、従って、抜け止め係合部７としての各溝部７ａも夫々Ｌ字型溝に形成している。
【００５２】
また、連結部５，６の各組み付け部材５Ａ，６Ａの重合面には、この溝部７ａを所定の並設間隔を介して３箇所、即ちバネ線材４Ａの本数分だけ形成している。
【００５３】
従って、この組み付け部材５Ａ，６Ａの各溝部７ａ内に、バネ線材４Ａの各係止端部８を嵌め込むことで、複数のバネ線材４Ａの各端部を所望の並設間隔となるように前記溝部７ａ内に位置決めすることができる。
【００５４】
また、本例では、連結部５，６を構成する組み付け部材５Ａ，６Ａと重合部材５Ｂ，６Ｂのうち一方の部材には重合位置決め用の凸部１０を設け、他方の部材には前記凸部１０が嵌合する凹部１１を設け、前記凸部１０と凹部１１とを凹凸嵌合することでこの組み付け部材５Ａ，６Ａと重合部材５Ｂ，６Ｂとが位置決め状態に重合されるように構成している。
【００５５】
また、組み付け部材５Ａ，６Ａと重合部材５Ｂ，６Ｂのうち一方の部材の立ち上がり外縁部には外方突出状態に係止凸部１３Ａを設け、他方の部材の立ち上がり縁部には前記係止凸部１３Ａが引っ掛り係合する係合部１３Ｂを設け、この組み付け部材５Ａ，６Ａと重合部材５Ｂ，６Ｂとを互いに重合配設することで前記係止凸部１３Ａと係合部１３Ｂとが凹凸係合してこの重合状態が係合保持されるように構成している。
【００５６】
従って、本例においては、煩わしい作業は不要であり、単に組み付け部材５Ａ，６Ａの各溝部７ａ内に、バネ線材４Ａの各係止端部８を嵌め込んだ上、重合部材５Ｂ，６Ｂを重合配設する簡単な作業だけで、組み付け部材５Ａ，６Ａと重合部材５Ｂ，６Ｂとを重合状態に係合保持できるとともに、各溝部７ａ内に前記バネ線材４Ａの各係止端部８が抜け止め状態で取り付け係止することができる。これにより、極めて作業性良く且つ簡単に弾性部４を組み付け製造することが可能となる。
【００５７】
また、本例では、各バネ線材４Ａの係止端部８を有する両端部は互いに左右対称な形状に構成している。従って、第一及び第二の連結部５，６の組み付け部材５Ａ，６Ａは互いに同一形状とし、また、第一及び第二の連結部５，６の重合部材５Ｂ，６Ｂも互いに同一形状とし、組み付け部材５Ａ，６Ａと重合部材５Ｂ，６Ｂの上下位置を逆転してバネ線材４Ａの左右の端部に夫々取り付けている。
【００５８】
以上のように、本例の弾性部４は、コストの高い部品は必要とせずに、単に線材を屈曲形成して成る数本のバネ線材４Ａと、量産性に秀でた成型部材（組み付け部材５Ａ，６Ａ及び重合部５Ｂ，６Ｂ）から成る連結部５，６との組み合わせにより弾性部４を構成しているため、部品コストを低く抑えることができることは勿論、弾性部４の組み付けも作業性良く簡単に実施でき量産性にも優れるものである。通常は、複数のバネ線材４Ａを直接第一部材１や第二部材２に所望の並設間隔で連結することは困難であるが、本例では、連結部５，６を用いた前述のような連結構造を採用することで、複数のバネ線材４Ａを極めて簡単に第一部材１や第二部材２に連結でき、その上、各バネ線材４Ａを確実に所望の並設間隔となるように良好に連結せしめることができるので、量産性やコスト性に優れた構造を得ることができる。
【００５９】
尚、各連結部５，６には夫々、組み付け部材５Ａ，６Ａの所定部位に枢着孔１２を形成している。具体的には、図１及び図２に示すように、各バネ線材４Ａが側方突出する連結部５，６の一側部と反対側の他側部に夫々枢着孔１２を形成する。この枢着孔１２を軸に、各連結部５，６を夫々第一部材１若しくは第二部材２に枢着連結することで、前記各バネ線材４Ａの各端部を連結部５，６を介して第一部材１若しくは第二部材２に相対回動自在に枢着連結した構成としている。
【００６０】
図３は、以上のように構成した本実施例の第一部材１に対して第二部材２をスライド移動操作した際の弾性部４の作動を示すものである。
【００６１】
弾性部４の左右両端の連結部５，６のうち、図３中、右側が第一部材１と枢着連結する第一の連結部５で、図３中、左側が第二部材２と枢着連結する第二の連結部６である。
【００６２】
図３中、符号Ｐ１は、図４（ａ）のように第一部材１（本体部）に対して第二部材２（重合部）を重合閉塞位置とした際の第一の連結部５に対する第二の連結部６の位置Ｐ１を示すものである。符号Ｐ２は、第一部材１に対して第二部材２をスライド操作し、第一の連結部５の位置と第二の連結部６の位置とがスライド方向と直交する横方向に並んだ際の前記連結部６の位置Ｐ２を示すものである。符号Ｐ３は、図４（ｂ）に図示したように第一部材１に対して第二部材２をスライド開放位置とした際の第一の連結部５に対する第二の連結部６の位置Ｐ３を示すものである。
【００６３】
本例では、図３に図示したように、第一の連結部５に対して第二の連結部６が位置Ｐ１或いは位置Ｐ３にある状態で、各バネ線材４Ａが自由長状態（フリー状態）にはならず依然として各バネ線材４Ａの弾性により連結部５，６同志が離反することとなるスライド方向の付勢が生ずるように弾性部４を設定している。
【００６４】
従って、図４（ａ）に示すように、第一部材１に対して第二部材２を重合閉塞位置とした際には、前記弾性部４によりこの第二部材２が重合閉塞位置に位置決め保持付勢され、一方、図４（ｂ）に示すように、第一部材１に対して第二部材２をスライド開放位置とした際には、前記弾性部４によりこの第二部材２がスライド開放位置に位置決め保持付勢されることとなる。
【００６５】
また、第一部材１に対して第二部材２をスライド移動させる際、第一部材１に対して第二部材２を所定長スライド移動させるまでは（具体的には、図３に示すように第一の連結部５に対して第二の連結部６が位置Ｐ２に到達するまでは）、第二部材２が戻り動するスライド方向に戻り付勢が生ずることとなるが、所定長スライド移動させると逆に第二部材２が進み動するスライド方向に進み付勢が生ずることとなる。つまり、例えば第一部材１に対して第二部材２を重合閉塞位置からスライド開放位置までスライド移動操作する場合には、図３に示すように、第一の連結部５に対して第二の連結部６が位置Ｐ１から位置Ｐ２に到達するまでのスライド範囲においては戻り付勢が生じ、一方、第二の連結部６が位置Ｐ２から位置Ｐ３に到達するまでのスライド範囲においては、逆に進み付勢が生ずることとなる。
【００６６】
更に、本例では、連結部５，６は夫々、二部品（組み付け部材５Ａ，６Ａと重合部材５Ｂ，６Ｂ）から成る構成とし、この二部品間に挟み込むように各バネ線材４Ａの各端部を連結部５，６に抜け止め状態に取り付け係止する構成としている。
【００６７】
尚、必要に応じては、例えば図７，８，９に図示した本例の別例のように、弾性部４の前記連結部５，６間のバネ線材４Ａの中央部を覆う保護部材９を備えた構成としても良い。
【００６８】
詳述すると、例えば図７は、保護部材９としての箱型（筒型）の成形品内に前記バネ線材４Ａを通過させ、この保護部材９により弾性部４のバネ線材４Ａの中央部にして上下両面側を保護する構成を示すものであり、前記バネ線材４がこの箱状の保護部材９によって弾性変形を邪魔されないように、この保護部材９はバネ線材４Ａが弾性変形可能な十分なクリアランスを有する箱型（筒型）に形成する。
【００６９】
上述のように金属製のバネ線材４Ａは、他部品と接触し摺動することで他部品にキズを付けたり表面層を剥離したりする懸念があるが、この点、本例においては、バネ線材４Ａの上下に配される他部品と当該バネ線材４Ａとの接触を前記保護部材９により確実に阻止でき（保護部材９と他部品とが接触することとなり）、よってバネ線材４Ａにより他部品がキズ付いたり、他部品の表面処理層（塗装等）が剥離されその剥離層（ゴミ）が所定箇所に侵入したり溜まったりしてスライド操作性を損ねたり動作不良を招いたりするトラブルを阻止できる。
【００７０】
また、例えば図８のものは、弾性部４のバネ線材４Ａの中央部にして周囲を、前記保護部材９としてのゴム性のチューブによって覆った構成を示すものであり、図７に示す保護部材９と同様に、バネ線材４Ａと他部材との接触を阻止し良好な保護作用が得られる。また、特に、ゴム性のチューブで保護部材９が構成されているため、保護部材９と他部品とが摺動しても摺れによる騒音がより一層生じにくい。
【００７１】
また、例えば図９のものは、弾性部４の片側，即ちバネ線材４の中央部にして片面のみを板状の保護部材９によって覆い、保護する構成を示すものである。具体的には、扁平な板材の所定箇所に、前記弾性部４のバネ線材４Ａの周辺部位に被嵌係止して取り付け保持するフック状若しくは爪形状の取付係止部９ａを複数設ける構成である。図示の例では、弾性部４の複数のバネ線材４Ａのうちの所定の一本のバネ線材４Ａに対し、長さ方向に所定間隔をおいて三箇所に被嵌係止し得る三つの取付係止部９ａを設けた構成としており、この保護部材９を弾性部４に確実に取り付け保持できるとともに、この保護部材９が前記バネ線材４Ａの弾性変形の弊害となる心配も無い。一般に、スライド装置はその構造上、バネ線材４の片面のみが外側に露出して他の部品と接触することとなるので、この他部品と接触し得る片面のみを保護部材９で保護すれば、図７や図８に示す保護部材９と同様の良好な保護作用が得られることとなる。
【産業上の利用可能性】
【００７２】
本発明の弾性部は、第一部材と第二部材が重合面方向にスライド自在に重合連結したスライド装置一般に適用でき、また、スライド装置は、具体例では携帯電話機に用いたが、この他にも、開閉又は回動するもの一般に用いることができ、また、電子機器も、携帯電話機にかかわらず他の電子機器に適用することが可能である。
【符号の説明】
【００７３】
１    第一部材
１Ａ    スライドガイド部
２    第二部材
２Ａ    スライド部
４    弾性部
４Ａ    バネ線材
５    連結部
５Ａ    組み付け部材
５Ｂ    重合部材
６    連結部
６Ａ    組み付け部材
６Ｂ    重合部材
７    抜け止め係合部
７ａ    溝部
８    係止端部
９    保護部材
１２ 枢着孔
【手続補正２】
【補正対象書類名】特許請求の範囲
【補正対象項目名】全文
【補正方法】変更
【補正の内容】
【特許請求の範囲】
【請求項１】
第一部材と第二部材とを重合面方向にスライド自在に重合連結したスライド装置の前記第一部材と第二部材との間に用いられる弾性部において、
屈曲弾性自在な複数のバネ線材と、
前記バネ線材の一端部と他端部にそれぞれ係止される第一の連結部及び第二の連結部と、を備え、
前記各バネ線材は、弓状に屈曲弾性自在な弓状屈曲部を有する所定の屈曲線形状を有し、且つ、前記一端部と他端部には屈曲若しくは湾曲した係止端部を設けるとともに、この係止端部を有するバネ線材の両端部は左右対称な形状に形成し、
前記連結部は、前記複数のバネ線材の各端部を所定の並設間隔をおいてこの連結部に抜け止め状態に係合する抜け止め係合部を有するものであって、前記第一及び第二の連結部は、共に同一の組み付け部材と共に同一の重合部材をそれぞれ別部品で形成するとともに、当該組み付け部材と重合部材とを重合状態に組み付け固定し、
前記組み付け部材と前記重合部材の一方の重合面には前記バネ線材の前記係止端部と略合致する溝形状を形成し且つ当該係止端部を嵌め込む溝部を複数形成してこの複数の溝部を前記抜け止め係合部として構成し、
前記抜け止め係合部の各溝部内に前記バネ線材の端部を嵌め込んだ状態で前記組み付け部材と重合部材とを重合状態に組み付け固定することで、複数のバネ線材の各端部を所定の並設間隔を置いて前記連結部に抜け止め保持したことを特徴とするスライド装置に用いられる弾性部。
【請求項２】
前記請求項１記載の弾性部において、前記重合状態に組み付け固定された前記第一及び第二の連結部は、それぞれ前記バネ線材とは反対側の箇所に、前記スライド装置の前記第一部材及び第二部材に連結するための枢着孔を備え、前記第一の連結部の前記枢着孔をスライド装置の前記第一部材に連結するとともに、前記第二の連結部の前記枢着孔を前記第二部材に連結して、これら第一部材と第二部材との間にスライド方向の弾性付勢が生ずるように構成したことを特徴とするスライド装置。
【請求項３】
電子機器の本体部と重合部とを重合配設し、この重合した状態から前記重合部を相対的に重合面方向にすれ違うようにスライド移動して重合面の一部を露出させることができるように、前記本体部と前記重合部とを前記請求項２記載のスライド装置により連結したこと特徴とする電子機器。